(57)【要約】本開示は、無免許周波数帯域において動作している動作チャネルを通知するためのコンピュータ可読媒体上で符号化されたコンピュータプログラムを含む、システム、方法、および装置を提供する。１つまたは複数のアクセスポイント（ＡＰ）は、無免許周波数帯のための専用発見チャネル上で発見情報を送信し得る。発見情報は、ワイヤレスアクセスを提供するためにＡＰによって使用されている少なくとも１つの動作チャネルを示し得る。発見情報はまた、ＡＰを発見するために局（ＳＴＡ）のために有益な他の情報、動作チャネル、および動作パラメータを含み得る。ＳＴＡは、アクティブスキャニングまたはパッシブスキャニングプロシージャを行うこと無しに発見情報を取得するために専用発見チャネルをモニタし得る。【選択図】図４
2020524454.tif 000002
【特許請求の範囲】
【請求項１】
第１のアクセスポイント（ＡＰ）によって実行される方法であって、
無免許周波数帯内の複数の動作チャネルの中からの、ネットワークへのワイヤレスアクセスを提供するために少なくとも第１の動作チャネルを利用することと、
前記無免許周波数帯域のための専用発見チャネルを介して発見情報を送信することと
を備え、前記発見情報は、前記第１のＡＰによって利用される前記第１の動作チャネルの第１の識別子を含み、前記専用発見チャネルは、前記第１の動作チャネルと異なる、
方法。
【請求項２】
前記専用発見チャネルは、前記無免許周波数帯域内の前記複数の動作チャネルのうちの１つである、
請求項１に記載の方法。
【請求項３】
前記専用発見チャネルは、前記無免許周波数帯域の中央チャネル、最低の番号を付けられたチャネル、最高の番号を付けられたチャネルのうちの１つにロケートされる、
請求項２に記載の方法。
【請求項４】
前記無免許周波数帯域のための前記専用発見チャネルは、前記無免許周波数帯域の外側にロケートされる、
請求項１に記載の方法。
【請求項５】
前記発見情報を送信することは、前記専用発見チャネル上でブロードキャストされる発見メッセージ中に前記発見情報を含むことを備える、
請求項１に記載の方法。
【請求項６】
前記専用発見チャネルのロケーションは、前記１つまたは複数の局によって導入された少なくとも第１の技術基準によって指定される、
請求項１に記載の方法。
【請求項７】
前記発見情報を送信することは、第１の周期間隔に従って前記発見情報を送信することを備える、
請求項１に記載の方法。
【請求項８】
前記第１の周期間隔は、前記１つまたは複数の局によって導入された少なくとも第１の技術基準によって指定される、
請求項７に記載の方法。
【請求項９】
前記第１の技術基準によって指定された前記第１の周期間隔は、無免許周波数帯域を利用する他の局によって導入された第２の技術基準によって指定される第２の周期間隔と異なる、
請求項８に記載の方法。
【請求項１０】
前記発見情報は、基本サービスセット（ＢＳＳ）情報、サービスセットアイデンティフィケーション（ＳＳＩＤ）、前記第１の動作チャネルのための動作パラメータ、前記第１のＡＰのワイヤレスサービス能力、サポートされるプロトコルのリスト、および前記第１のＡＰによって利用されている他のチャネルのリストから成るグループから選択された少なくとも１つのメンバをさらに含む、
請求項１に記載の方法。
【請求項１１】
前記発見情報は、前記第１のＡＰが前記第１のＡＰと第１の局との間で共有された１つまたは複数の動作パラメータの交渉を許可することになるかどうかを示すインジケータをさらに含む、
請求項１０に記載の方法。
【請求項１２】
第２のＡＰによって利用される第２の動作チャネルを決定することと、
前記第１のＡＰによって利用される前記第１の動作チャネルおよび前記第２のＡＰによって利用される前記第２の動作チャネルを識別するアグリゲートされた発見情報を決定することと、
前記専用発見チャネル上で前記アグリゲートされた発見情報を送信することと
をさらに備える、請求項１に記載の方法。
【請求項１３】
前記発見情報は、前記専用発見チャネル上で送信されたメッセージの技術指定ペイロード中に含まれ、
前記メッセージは、デバイスの第１のクラスおよびデバイスの第２のクラスによって復号可能であるヘッダを含み、前記ヘッダは、前記技術指定ペイロードの技術タイプを示し、
前記技術指定ペイロードは、前記技術タイプを利用するデバイスの前記第１のタイプによって復号可能であり、
前記技術指定ペイロードは、前記技術タイプを利用しないデバイスの前記第２のタイプによって無視される、
請求項１に記載の方法。
【請求項１４】
前記第１の動作チャネルを利用することは、ＡＰ−管理されたスケジュールに従って前記第１の動作チャネル上での１つまたは複数の局のためのアップリンクおよびダウンリンク送信をスケジュールすることを備え、
前記発見情報を送信することは、
前記ＡＰ−管理されたスケジュールにおける不活性期間を決定することと、
前記第１の動作チャネルから前記専用発見チャネルに切り替えることと、
前記不活性期間の間前記専用発見チャネル上で前記発見情報を送信することと
を備える、請求項１に記載の方法。
【請求項１５】
前記専用発見チャネルは、前記複数の動作チャネルのうちの１つに関連付けられた周波数範囲にロケートされ、前記周波数範囲は、いくつかの時間期間の間前記専用発見チャネルとして使用され、前記周波数範囲は、他の時間期間の間、前記複数の動作チャネルのうちの１つとして使用される、
請求項１に記載の方法。
【請求項１６】
前記専用発見チャネルは、プライマリ専用発見チャネルおよびセカンダリ専用発見チャネルを備え、前記方法は、
前記プライマリ専用発見チャネルが使用できないと決定することと、
前記セカンダリ専用発見チャネルを介して前記発見情報を送信することと
をさらに備える、請求項１に記載の方法。
【請求項１７】
前記プライマリ専用発見チャネルが使用できないと決定することは、前記プライマリ専用発見チャネルが飽和したと決定することを備え、前記方法は、
前記発見情報が前記セカンダリ専用発見チャネルを介して送信されることになると示すために前記プライマリ専用発見チャネル上でインジケータを送信することをさらに備える、
請求項１６に記載の方法。
【請求項１８】
前記プライマリ専用発見チャネルが使用できないと決定することは、前記プライマリ専用発見チャネルが別の送信機からの信号干渉に起因して使用できないと決定することを備える、
請求項１６に記載の方法。
【請求項１９】
前記発見情報を送信することは、
前記発見情報を送信する前に前記専用発見チャネルにアクセスするのを求めて競合するために衝突回避メカニズムを利用することを備える、
請求項１に記載の方法。
【請求項２０】
前記発見情報を送信することは、前記専用発見チャネル上の第１のタイムスロット中で前記発見情報を送信することを含むことを備える、
請求項１に記載の方法。
【請求項２１】
前記第１のタイムスロットは、前記第１のＡＰおよび前記第２のＡＰを含むＡＰのグループによって共有され、ＡＰのグループ内の各ＡＰがタイムスロットの繰り返しのシーケンスにおける前記第１のスロットの存在の利用を順に交代する、
請求項２０に記載の方法。
【請求項２２】
前記第１のタイムスロットは、中央コントローラによって前記第１のＡＰによって割り当てられる、
請求項２０に記載の方法。
【請求項２３】
第１のアクセスポイント（ＡＰ）であって、
プロセッサと、
前記プロセッサに結合されたメモリと
を備え、前記プロセッサによって実行されると、前記第１のＡＰに、
無免許周波数帯内の複数の動作チャネルの中からの、ネットワークへのワイヤレスアクセスを提供するために少なくとも第１の動作チャネルを利用することと、
前記無免許周波数帯域のための専用発見チャネルを介して発見情報を送信することと
を行わせる命令を有し、前記発見情報は、前記第１のＡＰによって利用される前記第１の動作チャネルの第１の識別子を含み、前記専用発見チャネルは、前記第１の動作チャネルと異なる、
第１のＡＰ。
【請求項２４】
前記発見情報を送信することを行う前記命令は、前記プロセッサによって実行されると、前記第１のＡＰに、前記専用発見チャネル上でブロードキャストされる発見メッセージ中で前記発見情報を送信することを行わせる命令を含む、
請求項２３に記載の第１のＡＰ。
【請求項２５】
前記発見情報を送信することを行う前記命令は、前記プロセッサによって実行されると、前記第１のＡＰに、第１の周期間隔に従って前記発見情報を送信することを行わせる命令を含む、
請求項２３に記載の第１のＡＰ。
【請求項２６】
前記発見情報は、基本サービスセット（ＢＳＳ）情報、サービスセットアイデンティフィケーション（ＳＳＩＤ）、前記第１の動作チャネルのための動作パラメータ、前記第１のＡＰのワイヤレスサービス能力、サポートされるプロトコルのリスト、および前記第１のＡＰによって利用されている他のチャネルのリストから成るグループから選択された少なくとも１つのメンバをさらに含む、
請求項２３に記載のＡＰ。
【請求項２７】
前記発見情報は、前記専用発見チャネル上で送信されたメッセージの技術指定ペイロード中に含まれ、
前記メッセージは、デバイスの第１のクラスおよびデバイスの第２のクラスによって復号可能であるヘッダを含み、前記ヘッダは、前記技術指定ペイロードの技術タイプを示し、
前記技術指定ペイロードは、前記技術タイプを利用するデバイスの前記第１のタイプによって復号可能であり、
前記技術指定ペイロードは、前記技術タイプを利用しないデバイスの前記第２のタイプによって無視される、
請求項２３に記載の第１のＡＰ。
【請求項２８】
前記専用発見チャネルは、プライマリ専用発見チャネルおよびセカンダリ専用発見チャネルを備え、前記方法は、
前記プライマリ専用発見チャネルが使用できないと決定することと、
前記セカンダリ専用発見チャネルを介して前記発見情報を送信することと
をさらに備える、請求項２３に記載の第１のＡＰ。
【請求項２９】
第１のアクセスポイント（ＡＰ）のプロセッサによって実行されると、前記第１のＡＰに、
無免許周波数帯内の複数の動作チャネルの中からの、ネットワークへのワイヤレスアクセスを提供するために少なくとも第１の動作チャネルを利用することと、
前記無免許周波数帯域のための専用発見チャネルを介して発見情報を送信することと
を行わせる命令記憶し、前記発見情報は、前記第１のＡＰによって利用される前記第１の動作チャネルの第１の識別子を含み、前記専用発見チャネルは、前記第１の動作チャネルと異なる、
コンピュータ可読媒体。
【請求項３０】
システムであって、
無免許周波数帯内の複数の動作チャネルの中からの、ネットワークへのワイヤレスアクセスを提供するために少なくとも第１の動作チャネルを利用するための手段と、
前記無免許周波数帯域のための専用発見チャネルを介して発見情報を送信するための手段と
を備え、前記発見情報は、前記第１のＡＰによって利用される前記第１の動作チャネルの第１の識別子を含み、前記専用発見チャネルは、前記第１の動作チャネルと異なる、
システム。
【発明の詳細な説明】
【関連出願】
【０００１】
[0001]本特許出願は、「DISCOVERY CHANNEL FOR UNLICENSED FREQUENCY BAND」と題され、本願の譲受人に譲渡された、２０１７年６月１９日付で出願された、米国仮特許出願第６２／５２１，９８９号の優先権を主張する、２０１８年６月１４日付で出願された、米国特許出願第１６／００９，１４５号の優先権を主張する。先行出願の開示は、本特許出願の一部と見なされ、かつ参照により本特許出願に組み込まれる。
【技術分野】
【０００２】
[0002]本開示は、ネットワーク通信のフィールドに関し、さらに詳細には、無免許周波数帯域におけるワイヤレス通信に関する。
【関連技術の説明】
【０００３】
[0003]ワイヤレス通信技術は、行政機関から指定の免許を取得せずに無免許周波数帯域を使用し得る。無免許周波数帯域の例は、２．４ＧＨｚ周波数帯域（ときどき、「工業、科学、および医療」または「ＩＳＭ」周波数帯域とも呼ばれる）および５ＧＨｚ周波数帯域（ときどき、「無免許国家情報基盤（Unlicensed National Information Infrastructure）」または「ＵＮＩＩ」とも呼ばれる）を含み得る。技術仕様書は、６ＧＨｚ周波数帯域のためにドラフトされ得、それは、ＩＥＥＥ８０２．１１およびオプションとして他のワイヤレス技術をサポートし得る。
【０００４】
[0004]各無免許周波数帯域内で、ワイヤレス通信のために、アクセスポイント（ＡＰ）および局（ＳＴＡ）によって使用されることができる異なる動作チャネルがあり得る。本開示では、ＡＰは、用語がＩＥＥＥ８０２．１１ワイヤレスローカルエリアネットワーク（ＷＬＡＮ）において使用されるＡＰを参照し、さらに、用語がワイヤレスネットワークの他のタイプのために使用される（ｅＮｏｄｅＢまたはホームｅＮｏｄｅＢのような）基地局を参照し得る。ＡＰは、１つまたは複数の動作チャネルを介してネットワークにアクセスするためにクライアントＳＴＡのためのワイヤレスアクセスを提供する。しかしながら、各無免許周波数帯域に関連付けられた利用可能なチャネルの品質を増加することに起因して、ＡＰへのワイヤレスアクセスのために利用する適切な動作チャネルを決定するために、ＳＴＡが多大な時間を必要とし得る。
【発明の概要】
【０００５】
[0005]本開示のシステム、方法、及びデバイスは各々、いくつかの革新的な態様を有し、それらのいずれもが、本明細書で開示される所望の属性を単独で担うわけではない。
【０００６】
[0006]本開示で説明される主題の１つの革新的な態様は、第１のアクセスポイント（ＡＰ）よってインプリメントされ得る。第１のＡＰは、無免許周波数帯域内の様々な動作チャネルの中からの、ネットワークへのワイヤレスアクセスを提供するために第１の動作チャネルを利用し得る。第１のＡＰは、無免許周波数帯域のための専用発見チャネルを介して発見情報を送信し得る。発見情報は、第１のＡＰによって利用される第１の動作チャネルの第１の識別子を含み得る。
【０００７】
[0007]いくつかのインプリメントでは、専用発見チャネルは、無免許周波数帯域の中央チャネルにロケートされ得る。
【０００８】
[0008]いくつかのインプリメントでは、無免許周波数帯域のための専用発見チャネルは、無免許周波数帯域の外側にロケートされ得る。
【０００９】
[0009]いくつかのインプリメントでは、発見情報を送信することは、専用発見チャネル上でブロードキャストされる発見メッセージ中で発見情報を送信することを含み得る。
【００１０】
[0010]いくつかのインプリメントでは、専用発見チャネルは、無免許周波数帯域を利用する１つまたは複数の局に既知であり得る。
【００１１】
[0011]いくつかのインプリメントでは、専用発見チャネルは、１つまたは複数の局によって導入された少なくとも第１の技術基準によって指定され得る。
【００１２】
[0012]いくつかのインプリメントでは、第１のＡＰは、第１の周期間隔に従って発見情報を送信し得る。
【００１３】
[0013]いくつかのインプリメントでは、第１の周期間隔は、１つまたは複数の局によって導入された少なくとも第１の技術基準によって指定され得る。
【００１４】
[0014]いくつかのインプリメントでは、第１の技術基準によって指定された第１の周期間隔は、無免許周波数帯域を利用する他の局によって導入される第２の技術基準によって指定される第２の周期間隔と異なり得る。
【００１５】
[0015]いくつかのインプリメントでは、発見情報は、基本サービスセット（ＢＳＳ）情報、サービスセットアイデンティフィケーション（ＳＳＩＤ）、第１の動作チャネルのための動作パラメータ、第１のＡＰのワイヤレスサービス能力、サポートされるプロトコルのリスト、および第１のＡＰによって利用されている他のチャネルのリストから成るグループから選択された少なくとも１つのメンバをさらに含み得る。
【００１６】
[0016]いくつかのインプリメントでは、発見情報は、ＡＰが第１のＡＰと第１の局との間で共有された１つまたは複数の動作パラメータの交渉を許可することになるかどうかを示すインジケータをさらに含み得る。
【００１７】
[0017]いくつかのインプリメントでは、第１のＡＰは、第２のＡＰによって利用される第２の動作チャネルを決定し得る。第１のＡＰは、第１のＡＰによって利用される動作チャネルおよび第２のＡＰによって利用される第２の動作チャネルを識別するアグリゲートされた発見情報を決定し得る。第１のＡＰは、専用発見チャネル上でアグリゲートされた発見情報を送信し得る。
【００１８】
[0018]いくつかのインプリメントでは、発見情報は、専用発見チャネル上で送信されたメッセージの技術指定ペイロード（technology-specific payload）中に含まれ得るメッセージは、デバイスの第１のクラスおよびデバイスの第２のクラスによって復号可能であるヘッダをを含み得る。ヘッダは、技術指定ペイロードの技術タイプを示し得る。
【００１９】
[0019]いくつかのインプリメントでは、第１の動作チャネルを利用することは、ＡＰ−管理されたスケジュールに従って第１の動作チャネル上で１つまたは複数の局のためのアップリンクおよびダウンリンク送信をスケジュールすることを含み得る。
【００２０】
[0020]いくつかのインプリメントでは、発見情報を送信することは、ＡＰ−管理されたスケジュールにおいて不活性期間を決定することと、第１の動作チャネルから専用発見チャネルに切り替えることと、不活性期間の間専用発見チャネル上で発見情報を送信することとを含み得る。
【００２１】
[0021]いくつかのインプリメントでは、専用発見チャネルは、複数の動作チャネルのうちの１つに関連付けられた周波数範囲にロケートされ得る。周波数範囲は、いくつかの時間期間の間、専用発見チャネルとして使用され、周波数範囲は、他の時間期間の間、複数の動作チャネルのうちの１つとして使用され得る。
【００２２】
[0022]いくつかのインプリメントでは、専用発見チャネルは、プライマリ専用発見チャネルおよびセカンダリ専用発見チャネルを含み得る。第１のＡＰは、プライマリ専用発見チャネルが使用できないと決定し得る。第１のＡＰは、セカンダリ専用発見チャネル上で発見情報を送信し得る。
【００２３】
[0023]いくつかのインプリメントでは、プライマリ専用発見チャネルを決定することは、プライマリ専用発見チャネルが飽和したと決定することを含み得る。いくつかのインプリメントでは、プライマリ専用発見チャネルは、一時的に利用でき得ない。例えば、プライマリ専用発見チャネルは、特定の時間またはロケーションで任意のデバイスによってアクセスでき得ない（またはとても短いパケットの送信のためにのみアクセス可能である）。第１のＡＰは、発見情報がセカンダリ専用発見チャネルを介して送信されることになると示すためにプライマリ専用発見チャネル上でインジケータを送信し得る。
【００２４】
[0024]いくつかのインプリメントでは、プライマリ専用発見チャネルを決定することは、プライマリ専用発見チャネルが別の送信機からのまたは別の送信機への信号干渉に起因して使用できないと決定することを含み得る。
【００２５】
[0025]いくつかのインプリメントでは、発見情報は、発見情報を送信する前に専用発見チャネルにアクセスするのを求めて競合するために衝突回避メカニズムを利用することを含み得る。
【００２６】
[0026]いくつかのインプリメントでは、発見情報を送信することは、専用発見チャネル上で第１のタイムスロットにおいて発見情報を送信することを含み得る。
【００２７】
[0027]いくつかのインプリメントでは、第１のタイムスロットは、第１のＡＰおよび第２のＡＰを含むＡＰのグループによって共有され得る。ＡＰのグループにおける各ＡＰは、タイムスロットの繰り返しシーケンスにおける第１のタイムスロットの存在の利用を順に交代し得る。
【００２８】
[0028]いくつかのインプリメントでは、第１のタイムスロットは、中央コントローラによって第１のＡＰに割り当てられ得る。
【００２９】
[0029]本開示で説明されている主題の１つまたは複数の実装の詳細は、付随の図面および以下の説明において述べられている。他の特徴、様態、および利点は、説明、図面、および特許請求の範囲から明らかになるであろう。下記の図面の相対的な寸法は、原寸通りに描かれていない可能性があることに留意されたい。
【図面の簡単な説明】
【００３０】
【図１】図１は、無免許周波数帯域において動作している複数のアクセスポイント（ＡＰ）を持つ一例のネットワークのシステム図を描写する。
【図２】図２は、無免許周波数帯域における複数の動作チャネルでの一例のチャネルマップを描写する。
【図３Ａ】図３Ａは、無免許周波数帯域のための専用発見チャネルを有する一例のチャネルマップを描写する。
【図３Ｂ】図３Ｂは、プライマリ専用発見チャネルおよびセカンダリ専用発見チャネルを有する一例のチャネルマップを描写する。
【図４】図４は、無免許周波数帯域のための専用発見チャネルを介して発見情報を送信することができる第１のＡＰのためのフローチャートを描写する。
【図５】図５は、無免許周波数帯域のための専用発見チャネルを介して発見情報を受信することができる第１の局（ＳＴＡ）のためのフローチャートを描写する。
【図６】図６は、発見情報がメッセージの技術指定ペイロード中に含まれることができるメッセージタイミング図を描写する
【図７】図７は、複数のＡＰが専用発見チャネルを介してそれらの動作チャネルを示す一例のメッセージのメッセージフロー図を描写する。
【図８】図８は、局がＡＰと動作パラメータを交渉することができる一例のメッセージのメッセージフロー図を描写する。
【図９】図９は、協調ＡＰがアグリゲートされた発見情報を提供する一例のメッセージのメッセージフロー図を描写する。
【図１０】図１０は、無免許周波数帯域のための専用発見チャネルを介してアグリゲートされた発見情報を提供することができる協調ＡＰのためのフローチャートを描写する。
【図１１】図１１は、ＡＰが分離タイムスロットにおける発見情報を送信するメッセージタイミング図を描写する。
【図１２】図１２は、ＡＰのグループがそれぞれのタイムスロットにおける発見情報の送信を順に交代するメッセージタイミング図を描写する。
【図１３】図１３は、ＡＰのグループがアグリゲートされた発見情報を送信するメッセージタイミング図を描写する。
【図１４Ａ】図１４Ａは、発見情報を送信するための一例の発見メッセージの概念図を描写する。
【図１４Ｂ】図１４Ｂは、一例の発見メッセージのための一例のメッセージフォーマットを描写する。
【図１４Ｃ】図１４Ｃは、一例の発見メッセージおｙび一例の発見情報要素のための一例のメッセージフォーマットを描写する。
【図１４Ｄ】図１４Ｄは、ロングタームエボリューション（ＬＴＥ（登録商標））シグナリングフレームを持つ一例の発見メッセージの概念図を描写する。
【図１５】図１５は、本開示の態様を実装するための例示的な電子デバイスのブロック図を示す。
【００３１】
[0049]様々な図面における同様の参照番号および呼称は、同様の要素を示す。
【発明の詳細な説明】
【００３２】
[0050]以下の説明は、本発明の革新的な態様を説明する目的のためにある特定の実装を対象としている。しかしながら、当業者は、本明細書における教示が数多くの異なる方法で適用されうることを容易に認識するだろう。説明される実施形態は、ＩＥＥＥ８０２．１１基準、Ｂｌｕｅｔｏｏｔｈ（登録商標）基準、符号分割多元接続（ＣＤＭＡ）、周波数分割多元接続（ＦＤＭＡ）、時分割多元接続（ＴＤＭＡ）、モバイル通信のためのグローバルシステム（ＧＳＭ（登録商標））、ＧＳＭ／汎用パケット無線サービス（ＧＰＲＳ）、拡張型データＧＳＭ環境（ＥＤＧＥ）、地上基盤無線（ＴＥＴＲＡ）、ワイドバンドＣＤＭＡ（Ｗ−ＣＤＭＡ（登録商標））、エボリューションデータオプティマイズド（ＥＶ−ＤＯ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、ロングタームエボリューション（ＬＴＥ（登録商標））、ＡＭＰＳのうちの任意のものを含む、ワイヤレス通信基準のうちの任意のものに従ったＲＦ信号、あるいは、３Ｇ、４Ｇ、または５Ｇ、もしくはそれらのさらなる実施形態の技術を利用するシステムのような、ワイヤレス、セルラまたはモノのインターネット（ＩＯＴ）ネットワーク内で通信するために使用される他の知られている信号を送信および受信することが可能な任意のデバイス、システムまたはネットワークにおいて実施され得る。
【００３３】
[0051]自宅、アパート、ビジネス、または別のエリアにおけるネットワークは、１つまたは複数のアクセスポイント（ＡＰ）を含み得る。いくつかの展開では、ＡＰは、同じローカルエリアネットワークに関連付けられ得る。（ときどき、ワイヤレスローカルエリアネットワークまたはＷＬＡＮとも呼ばれる）ローカルエリアネットワーク（ＬＡＮ）は、ブロードバンドネットワークへのアクセスを提供し得る。例えば、（中央ＡＰまたはルータのような）ゲートウェイデバイスは、ケーブル、光ファイバー、電力線、またはＤＳＬネットワーク接続を通じてブロードバンドネットワークに結合されることができる。他の展開では、異なるネットワークに関連される環境内に複数のＡＰがあり得る。複数のＡＰは、無免許周波数帯域内で１つまたは複数の動作チャネル上で各々動作し得る。チャネルは、無免許周波数帯域の一部を参照し得る。各チャネルは、所定の中心周波数およびチャネル幅を有し得る。動作チャネルは、ＡＰとのワイヤレス関連性を有する局（ＳＴＡ）と通信するためにＡＰによって使用される。同様に、ＳＴＡは、ＡＰと（ワイヤレス関連性を介して）通信するためにチャネルを利用する。ＩＥＥＥ８０２．１１基準は、動作チャネル（およびその構成）、ワイヤレスインターフェースに関連付けられたすべてのデバイス、およびＡＰの１つのワイヤレスインターフェースとしての基本サービスセット（ＢＳＳ）を定義し得る。いくつかのＡＰは、動作チャネルが少なくとも輻輳されると決定することと、その動作チャネル上でそれ自身を確立することとを行うことができる。いくつかのインプリメンテーションでは、中央コントローラは、地理的エリア内で各ＡＰによって使用されることができる動作チャネルを割り当て得る。
【００３４】
[0052]本開示における概念は、任意の無免許周波数帯域（または無免許周波数帯域のコレクション）で使用され得る。しかしながら、簡潔さのために、本開示は、図のいくつかの例示として６ＧＨｚ無免許周波数帯域を使用する。６ＧＨｚ帯域は、次世代ＡＰおよびＳＴＡによるオペレーションのために開かれた無免許周波数帯域になると期待されている。例えば、６ＧＨｚ帯域は、８０２．１１ａｘ修正案に続くまたはそれ以降のＩＥＥＥ８０２．１１によって使用され得る。６ＧＨｚ帯域はまた、ＬＴＥ、ブルートゥース（登録商標）、または他の技術を含むワイヤレス通信技術の他のタイプによって同時に使用され得る。６ＧＨｚ帯域内の動作チャネル上でのワイヤレス送信は、（競合ベースアクセスよりむしろ）完全にスケジュールされ得る。ＡＰは、ＢＳＳ内のＡＰおよびＳＴＡによるすべての送信をスケジュールし得る。本開示では、ＡＰは、無免許周波数帯域を利用し得、無免許周波数帯域における動作チャネルを介するワイヤレスアクセスを提供するアクセスポイント（または基地局）の任意のタイプを参照する。６ＧＨｚ帯域のためのチャネルマップがまだ批准されていない一方、以前に利用可能であるよりも多くの動作チャネルを提供することが期待され得る。これは、６ＧＨｚ帯域中に共存し得るＡＰ（およびワイヤレス通信技術）の数が増加する一方、環境におけるＡＰのための可用性および動作チャネルを決定するためにＳＴＡについての問題を引き起こし得る。例えば、ＳＴＡは、利用可能なＡＰを識別およびロケートするために、アクティブスキャニングまたはパッシブスキャニング（この両方は、図２においてより詳細に説明される）を使用し得る。しかしながら、アクティブスキャニングおよびパッシブスキャニングのための従来のプロシージャは、動作チャネルのより大きな数に起因して無免許周波数帯域において多大な時間を必要とし、より多くの電力を消費し得る。
【００３５】
[0053]本開示に従って、専用発見チャネルは、複数のＡＰに関して動作チャネルを通知するために使用されることができる。例えば、専用発見チャネルは、どの動作チャネルが使用されているかについて発見情報を告知するようにＡＰによる使用のために予約されることができる。発見情報はまた、ＡＰによって使用される動作チャネルに関連付けられた動作パラメータ、現在のチャネル条件、またはＢＳＳについての情報を含み得る。発見情報は、その無免許周波数帯域にアクセスすることができるすべてのＳＴＡによって既知である所定の間隔を有する周期メッセージ中で送られ得る。いくつかのインプリメンテーションでは、発見情報は、それらが関連付けるように意図するＡＰがエリアにおいて動作しているかどうか決定するために、ＳＴＡのための最小情報を含む。発見情報はまた、ＡＰがＳＴＡに、ＡＰと関連付けられる前に有効であることを望む、動作モード（能力、機能性、または同様なもの）を含み得、さらに、ＡＰがそのＢＳＳにおいて使用してるチャネルのサブセット（および他のリソース）を包含し得る。
【００３６】
[0054]本開示で説明されている主題の特定のインプリメンテーションは、以下の潜在的な利点のうちの１つまたは複数を実現するようにインプリメントされ得るる。複数のＡＰのための発見情報は、無免許周波数帯域の同じ専用発見チャネル中で送信され得る。これは、特定のＡＰの動作チャネルを見出すために動作チャネルのすべてをアクティブまたはパッシブにスキャンするＳＴＡのための必要性をなくし得る。さらに、発見情報がない場合にどのくらいの長さ待機するかをＳＴＡが知らない場合に、潜在的な不確実性が存在する可能性がある。インプリメンテーションでは、発見情報は、無免許周波数帯域を利用するデバイスに既知である所定の間隔に従って送信される。このインプリメンテーションでは、デバイスは、所定の間隔内で発見情報を受信することを当てにすることができる。発見情報は、ＳＴＡが、それらが特定のＡＰで動作する資格があるかどうかを決定することができるようにし得る。例えば、たとえＳＴＡが第１のＡＰとのワイヤレス関連性のための要求を満たし得るとしても、第１のＡＰがＳＴＡに満足のいかない制限を課し得る。発見情報は、第１のＡＰも第１のＡＰの動作チャネルも関連するかどうかを決定するためにＳＴＡのための十分な情報を含み得る。発見情報はまた、第１のＡＰがワイヤレスアクセスパラメータに関して、第１のＡＰとＳＴＡとの間の交渉を許可することになるかどうかを示し得る。
【００３７】
[0055]図１は、無免許周波数帯域において動作している複数のＡＰを持つ一例のネットワークのシステム図を描写する。ネットワーク１００は、第１のＡＰ１１０、第２のＡＰ１２０、および第３のＡＰ１３０を含む複数のＡＰを含む。複数のＡＰの各々は、ワイヤレスカバレッジエリア内でＳＴＡ（図示されない）のためのワイヤレスアクセスを提供し得る。例えば、図１では、第１のＡＰ１１０は、第１のワイヤレスカバレッジエリア１１５を提供しており、第２のＡＰ１２０は、第２のワイヤレスカバレッジエリア１２５を提供しており、第３のＡＰ１３０は、第３のカバレッジエリア１３５を提供している。各ＡＰは、そのそれぞれのワイヤレスカバレッジエリア内で異なる動作チャネルを利用し得る。上で説明したように、動作チャネルは、無免許周波数帯域内に指定され得る。動作チャネルが異なる周波数範囲を有するので、それらは、同じ環境内で共存し得る。例えば、エリア１９０に示されるように、第１のワイヤレスカバレッジエリア１１５、第２のワイヤレスカバレッジエリア１２５、および第３のワイヤレスカバレッジエリア１３５の３つすべては、それらが異なる動作チャネルを使用するので、エリア１９０内で成功裏に使用され得る。いくつかのケースでは、動作チャネルは、周波数分離の利益を交渉すること無しに、わずかに互いに重複する周波数範囲を有し得る。
【００３８】
[0056]いくつかのインプリメンテーションでは、中央コントローラ１５０は、各ＡＰによって使用されることができる動作チャネルを割り当て得る。例えば、点線１５２で示されるように、中央コントローラ１５０は、第１のＡＰ１１０、第２のＡＰ１２０、および第３のＡＰ１３０の各々によって使用される動作チャネルを割り当てる権限を有し得る。中央コントローラ１５０は、ＡＰのうちの１つと同じ論理ネットワーク内にある、または分離して存在し得る。いくつかのインプリメンテーションでは、中央コントローラ１５０は、ＡＰが動作している環境に近い環境に地理的にロケートされる。他のインプリメンテーションでは、中央コントローラ１５０は、ＡＰが動作するところから地理的に離れて存在する一方で、まだ、無免許周波数帯域内の動作チャネルを割り当てる管理監督を提供し得る。いくつかのインプリメンテーションでは、中央コントローラは、ＡＰのうちの１つであり得る。
【００３９】
[0057]６ＧＨｚ無免許周波数帯域では、動作チャネルの割り当ては、中央エンティティによって管理され得る、または協調され得る。６ＧＨｚ無免許周波数帯域のためのチャネルマップは、まだ批准されていない。しかしながら、図６は、無免許周波数帯域内の動作チャネルを説明する一例、および大量の動作チャネルをアクティブスキャニングまたはパッシブスキャニングすることに起因するチャレンジのいくつかを提供する。
【００４０】
[0058]図２は、無免許周波数帯域における複数の動作チャネルを持つ一例のチャネルマップを描写する。一例のチャネルマップ２００は、第１の動作チャネル２１５、第２の動作チャネル２２５、第３の動作チャネル２３５、第４の動作チャネル２４５、および第５の動作チャネル２５５を含む多くの動作チャネルを有する無免許周波数帯域２９０を示す。動作チャネルのこれらの第１のセットは、それらの間に周波数分離があるので、非重複とみなされ得る。しかしながら、典型的なチャネルマップでは、チャネルは、重複チャネル２５１、２５２、２５３、および２５４のような重複チャネルを含み得る。動作チャネルの各々（２１５、２２５、２３５、２４５、２５１、２５２、２５３、２５４、および２５５）は、チャネル番号によって参照され得る。各チャネルは、第１の動作チャネル２１５と関連付けられる、中央周波数２８０およびチャネル幅２９５のような、中央周波数およびチャネル幅によって定義される。チャネルマップ２００における各チャネルが統一されたチャネル幅を示すが、無免許周波数帯域は、無免許周波数帯域における各チャネルについて異なるチャネル幅を定義し得る。さらに、無免許周波数帯域におけるチャネルは互いに隣接し得ない。（最低から最高のような）チャネル番号付けは、周波数に無関係であり得、例えば、チャネルの所定のマッピングがあることができ、チャネルが無免許周波数帯域全域に広がり得る。
【００４１】
[0059]本開示の改良がないとき、従来のＳＴＡは、ＳＴＡの興味のあるＡＰによって使用されている動作チャネルにロケートする動作チャネルをスキャンし得る。２つのスキャン方法、アクティブスキャニングおよびパッシブスキャニングが従来、使用される。各々に関連付けられた潜在的な挑戦と共に、以下で説明される。
【００４２】
[0060]アクティブスキャニングでは、ＳＴＡは、動作チャネルに同調し、（プローブ要求メッセージのような）メッセージを送り、その動作チャネル上でＡＰから（プローブ応答のような）応答を受信するために時間期間の間待機する。ＳＴＡが興味のあるＡＰから応答を受信しない場合、その後、ＳＴＡは、別の動作チャネルに切替え、同じ処理（プローブ要求、プローブ応答のために待機）を実行する。各動作チャネル上で、ＳＴＡは、応答がなく、次の候補動作チャネルに切り替えるという決定を行う前に最低限の時間の間待機し得る。しかしながら、これは、ＳＴＡが所望のＡＴから応答を受信する前に複数の動作チャネルをアクティブにスキャンする場合、多大な時間を必要とすることになる。さらに、多くの局が無免許周波数帯域をアクティブにスキャンする場合、プローブ要求およびプローブ応答の汚染があり得る。そして、ＳＴＡがアクティブスキャンを実行するたび、ＳＴＡは、複数の動作チャネル上でのメッセージの送受信に起因してより多くの電力を消費し得る。
【００４３】
[0061]パッシブスキャニングでは、各ＡＰは、その存在、能力、および他の情報を通知するために、周期的にメッセージを生成し送信するように構成される。例えば、ＩＥＥＥ８０２．１１では、ＡＰは、ビーコン間隔毎にフレーム（「ビーコン」フレームと呼ばれる）を送信し得る。ＳＴＡは、動作チャネルに同調し、その動作チャネル上でＡＰからビーコンフレームを受信するために、（ビーコ間隔に関連付けられた）時間期間の間チャネルをモニタし得る。ＳＴＡが興味のあるＡＰから応答を受信しない場合、その後、ＳＴＡは、別の動作チャネルに切替え、同じ処理（ビーコンフレームのためのモニタおよび待機）を実行する。アクティブスキャニングと同様に、パッシブスキャニングを使用しているＳＴＡは、所望のＡＰからのビーコンフレームを受信する前に複数の動作チャネルをスキャンし得る。
【００４４】
[0062]アクティブスキャニングまたはパッシブスキャニングを実行するためにＳＴＡによって使用される時間は、興味のあるＡＰのための適切な動作チャネルにロケートする前にスキャンされた動作チャネルの量および各チャネル上での待機時間によって決まり得る。例えば、時間は、最悪なケースの観点から、Ｔ＊Ｎとして計算され得、ここで、Ｔは、１つのチャネルに存在している待機時間の最小量であり、Ｎは、無免許周波数帯域内のチャネルの総量である。パッシブスキャニングについて、ビーコンフレームをモニタするための待機時間の最小量は、ＳＴＡによって未知であり得る。例えば、（ビーコン間隔が２０ｍｓ以下であると予測して）ＳＴＡが２０ｍｓの間、各チャネルをスキャンしている場合、ＳＴＡは、（４００ｍｓのような）ビーコン間隔よりはるかに大きな、ＡＰからのビーコンフレームを見落とし得る。ビーコン間隔は、各ＡＰに指定されたものであり、様々な動作チャネルの間で一貫性のないものであり得る。
【００４５】
[0063]上で説明したように、多量のチャネルは、アクティブスキャニングまたはパッシブスキャニングを実行するＳＴＡによって消費されることになる時間に非常に大きな影響を与え得る。２．４ＧＨｚ無免許周波数帯域では、定義された１４個のチャネルがある。しかしながら、各管轄（jurisdiction）は、どのチャネルがその管轄において使用されることが認められるを決定し得る。米国では、２．４ＧＨｚ帯域から１１チャネルがＩＥＥＥ８０２．１１装備（equipment）による無免許送信のために使用されることが認められる。５ＧＨｚ無免許周波数帯域では、定義された２３個の非重複チャネル（重複チャネルを数に入れると合計４０個のチャネル）があるいくつかのＳＴＡは、２．４ＧＨｚ帯域および６ＧＨｚ帯域の両方を利用することができ得る。したがって、ＳＴＡは、複数の無免許周波数帯域からのチャネルの組み合わせのためにアクティブまたはパッシブスキャニングを実行し得る。さらに、６ＧＨｚ無免許周波数帯域においてはるかに多くのチャネルが定義されると予測される。例えば、６ＧＨｚチャネルマップのためのチャネルマップは、１６０チャネル以上を含むと予測される。
【００４６】
[0064]６ＧＨｚ無免許周波数帯域中にＡＰをロケートすることを望むＳＴＡについて、アクティブスキャニングまたはパッシブスキャニングの処理は、多量のチャネルに起因して著しく長い時間を要し得る。さらに、各動作チャネルへの同調の電力消費および複数のチャネルを送信することまたはスキャンすることは、バッテリー式のＳＴＡについて特に、不利益であり得る。本開示に従って、スキャンのためのレガシー技術の潜在的な不利益は、専用発見チャネルの導入によって克服され得る。
【００４７】
[0065]いくつかのインプリメントでは、専用発見チャネルは、複数の無免許周波数帯のための発見情報を提供するために使用されることができる。例えば、専用発見チャネルは、サブ１ＧＨｚ、２．４ＧＨｚ、５ＧＨｚ、および６ＧＨｚ動作チャネルのうちの１つまたは複数のための発見情報を含むことができる。
【００４８】
[0066]図３Ａは、無免許周波数帯域のための専用発見チャネルを有する一例のチャネルマップを描写する。一例のチャネルマップ３０１は、無免許周波数帯域２９０内で様々なチャネルの定義を含む図２のチャネルマップ２００に類似する。しかしながら、図３Ａでは、チャネルのうちの１つは、専用発見チャネル３１０として指定される。１つの代替では、図３Ａ中に示されるように、専用発見チャネル３１０は、中央チャネルにあり得る。例えば、チャネルのうちの１つは、専用発見チャネル３１０としての使用のために予約され、動作チャネルとして利用可能になり得ない。図３Ａでの例が無免許周波数帯域２９０内で真ん中のチャネルとして専用発見チャネル３１０を示すが、他の代替ロケーションが可能であり得る。例えば、専用発見チャネル３１０は、無免許周波数帯域２９０に関連付けられたスペクトル内の最低の番号を付けられたチャネルまたは最高の番号を付けられたチャネル（または任意のチャネル）であり得る。本開示のいくつかの例が（中央チャネルまたは最低の番号を付けられたチャネルのような）特定のチャネルを占有する専用発見チャネルを示すにもかかわらず、専用発見チャネルは、無免許周波数帯域２９０におけるチャネルのうちの任意の１つを占有し得る。いくつかのインプリメンテーションでは、専用発見チャネル３１０は、動作チャネルのうちの１つの一部のみを占有し得る。例えば、動作チャネルに関連付けられた周波数範囲は、周波数範囲がいくつかの時間期間の間専用発見チャネル３１０として使用され、周波数範囲が他の時間期間の間動作チャネルとして使用され得るように時間分割され得る。別の代替では、専用発見チャネル３１０は、無免許周波数帯域２９０に隣接し（または無免許周波数帯域２９０から離れた周波数範囲内でさえも）、無免許周波数帯域２９０の内部にない予約スペクトル内にあり得る。従って、この代替では、専用発見チャネル３１０は、無免許周波数帯域２９０に関連付けられた周波数範囲を占有すること無しに無免許周波数帯域２９０に関連付けられ得る。例えば、（６ＧＨｚ帯域のような）無免許周波数帯域内で使用している動作チャネルを通知するようにＡＰによって使用される（例えば、２．４ＧＨｚ帯域、５ＧＨｚ帯域、または別の帯域のような）別の周波数帯域内で専用発見チャネルを定義することが可能であり得る。
【００４９】
[0067]専用発見チャネル３１０のロケーションにかかわらず、専用発見チャネル３１０は、６ＧＨｚ無免許周波数帯域を使用することになる１つまたは複数の技術基準によって指定され得る。いくつかのインプリメンテーションでは、無免許周波数帯域内の動作チャネルを利用するＡＰおよびＳＴＡは、専用発見チャネル３１０のロケーションで事前設定されるだろう。いくつかのインプリメンテーションでは、（サービスプロバイダ、規制機関、サードパーティプロバイダ、または中央コーディネータのような）中央リソースは、専用発見チャネルが様々なロケーションで使用されるかの記録を維持することができる。例えば、（ＳＴＡのような）デバイスは、専用発見チャネル３１０のロケーションを決定するために中央リソースとコンタクトし得る。
【００５０】
[0068]１つまたは複数のＡＰは、専用発見チャネル３１０上で発見情報を送ることができる。ＳＴＡは、１つまたは複数のＡＰからの発見情報を受信するために専用発見チャネル３１０をモニタすることができる。したがって、ＳＴＡは、個別に様々な動作チャネルに切り替えることまたは動作チャネルをスキャンすることによって以前に取得しただろう発見情報（およびできる限り更なる情報）を取得するために単一チャネル（専用発見チャネル３１０）をモニタすることができる。さらに、各ＡＰは、所定の周期間隔を使用して発見情報を送信するように構成され得る。例えば、技術基準は、周期間隔を定義し得る。ＳＴＡは、周期間隔に関連付けられた時間期間の間専用発見チャネル３１０をモニタするように構成され得る。これは、ＳＴＡが時間間隔の間モニタし、特定の技術基準をサポートするすべてのＡＰのための発見情報を取得することができるだろう。この発見処理は、無免許周波数帯域内で動作チャネルを利用してい得る複数のＡＰのための発見情報を取得するためにＳＴＡによって必要とされる時間を低減し得る。
【００５１】
[0069]いくつかのインプリメンテーションでは、動作チャネルを利用するＡＰは、動作チャネル上でアップリンクおよびダウンリンク送信のためのスケジュールを管理し得る。例えば、ＡＰは、１つまたは複数の局が動作チャネル上で送信するときを制御するＡＰ−管理されたスケジュールを管理し得る。従って、ＡＰは、動作チャネル上で局からの要求していないアップリンクトラフィックを予期することはない。ＡＰは、ＡＰ−管理されたスケジュールにおける不活性期間を決定することができる。不活性期間の間、ＡＰは、専用発見チャネル上で発見情報を送信するために、動作チャネルから専用発見チャネルに切り替えることができる。
【００５２】
[0070]図３Ｂは、プライマリ専用発見チャネルおよびセカンダリ専用発見チャネルを有する一例のチャネルマップを描写する。一例のチャネルマップ３０２は、無免許周波数帯域２９０内で様々なチャネルの定義を含む図３Ａのチャネルマップ３０１に類似する。図３Ｂでは、専用発見チャネルは、（無免許周波数帯域の始めのような）最低の番号を付けられたチャネルとして描写される。さらに、図３Ｂは、専用発見チャネルがチャネルマップにおけるチャネルのうちの１つよりも多くを占め得るインプリメンテーションを例示する。例えば、プライマリ専用発見チャネル３１１は、図３Ａにおいて説明された専用発見チャネル３１０に類似し得る。しかしながら、プライマリ専用発見チャネル３１１が環境において利用することができなくなる、または過密になるとき、セカンダリ専用発見チャネル３２０は、利用され得る。プライマリ専用発見チャネルが最低の番号を付けられたチャネルとして示され、セカンダリチャネルがその次のチャネルとして示されるが、プライマリおよびセカンダリ専用発見チャネルは、無免許周波数帯域のチャネルのうちの任意のチャネルであるができる。
【００５３】
[0071]セカンダリ専用発見チャネル３２０は、プライマリ専用発見チャネル３１１の拡張またはオーバーフローとして機能し得る。いくつかのインプリメンテーションでは、セカンダリ専用発見チャネル３２０は、（プライマリ専用発見チャネル３１１が別の送信器からの信号干渉に起因して使用できないときのような）プライマリ専用発見チャネル３１１の代替として機能し得る。いくつかのインプリメンテーションでは、セカンダリ専用発見チャネル３２０は、（プライマリ専用発見チャネル３１１が発見情報を送信する他のＡＰによって飽和する、または混雑した状態になるときのような）必要に応じて使用するために予め決められ、予約され得る。いくつかのインプリメンテーションでは、ＡＰは、ＳＴＡにセカンダリ専用発見チャネル３２０もモニタさせるために、プライマリ専用発見チャネル３１１上にインジケータまたは信号を含むことができる。いくつかのインプリメンテーションでは、セカンダリ専用発見チャネル３２０は、同じ周波数において動作チャネルと時間を共有し得る。
【００５４】
[0072]図４は、無免許周波数帯域の専用発見チャネルを介して発見情報を送信することができる第１のＡＰのためのフローチャートを描写する。フローチャート４００は、ブロック４１０で開始する。ブロック４１０で、第１のＡＰは、ネットワークへのワイヤレスアクセスを提供するために少なくとも第１の動作チャネルを利用し得る。第１の動作チャネルは、無免許周波数帯域内の動作チャネルのうちの１つであり得る。いくつかのインプリメンテーションでは、第１のＡＰは、１つの動作チャネルよりも多くの動作チャネルを利用し得る。
【００５５】
[0073]ブロック４２０で、第１のＡＰは、無免許周波数帯域のための専用発見チャネルを介して発見情報を送信し得る。発見情報は、第１のＡＰによって利用される第１の動作チャネルの第１の識別子を含み得る。例えば、発見情報は、第１のＡＰがワイヤレスアクセスを提供するために利用しているチャネル番号（またはチャネル番号のリスト）を含み得る。発見情報はさらに、第１のＡＰのＢＳＳに関する情報を含み得る。例えば、発見情報は、第１の動作チャネル上で動作しているＢＳＳのＳＳＩＤを含み得る。
【００５６】
[0074]以下でさらに説明されるように、発見情報は、専用発見チャネル上でブロードキャストする（発見フレーム、改良ビーコンフレーム、または同期フレームのような）発見メッセージ中に含まれ得る。専用発見チャネル上で発見情報を送信するために１つまたは複数のＡＰのための異なるメカニズムがあり得る。専用発見チャネルのいくつかのインプリメンテーションでは、衝突回避メカニズムは、各ＡＰが発見メッセージを送信する前に専用発見チャネルをモニタするような、ＡＰによって使用され得る。一例の衝突回避メカニズムは、ＩＥＥＥ８０２．１１において定義される拡張型分散チャネルアクセス（ＥＤＣＡ：enhanced distributed channel access）であっても良い。別の例は、リッスンビフォアトーク（ＬＢＴ）アクセスメカニズムであっても良い。発見情報を送るための周期間隔を超えて延長することを避けるために、第１のＡＰは、早期に衝突回避を開始し得、したがって、たとえ衝突が起きるとしても、第１のＡＰがまだ、期間間隔内で発見情報を送ることができる。専用発見チャネルのいくつかのインプリメンテーションでは、タイムスロットメカニズムは、各ＡＰが発見情報を送信するタイムスロットを有するように、使用され得る。タイムスロットの一例は、異なる時分割多元接続（ＴＤＭＡ）タイムスロットにＡＰを割り当てることによって衝突が避けられるＴＤＭＡに類似するかもしれない。これらのメカニズムは、図１１−図１３に関して以下でさらに説明される。
【００５７】
[0075]図５は、無免許周波数帯域の専用発見チャネルを介して発見情報を受信することができる第１のＳＴＡのためのフローチャートを描写する。フローチャート５００は、ブロック５１０で開始する。
【００５８】
[0076]ブロック５１０で、第１のＳＴＡは、無免許周波数帯域のための専用発見チャネルを介して第１の発見情報を、第１のＡＰから、受信し得る。第１の発見情報は、無免許周波数帯域内の様々な動作チャネルの中からの第１の動作チャネルの第１の識別子を含み得る。第１の動作チャネルは、ネットワークにワイヤレスアクセスを提供するために第１のＡＰによって利用される。第１の発見情報はまた、第１の動作チャネル上で動作する（ＳＳＩＤのような）ＢＳＳに関する情報を含み得る。
【００５９】
[0077]ブロック５２０で、第１のＳＴＡは、第１の動作チャネル上で第１のＡＰと関連付け得る。例えば、第１のＳＴＡは、ＳＴＡが利用するように構成されたＳＳＩＤを第１のＡＰが有する第１の発見情報から決定し得る。そのケースでは、第１のＳＴＡは、第１のＡＰのための第１の動作チャネルに同調し、ＳＳＩＤを有するＢＳＳとのワイヤレス関連性を確立することができる。
【００６０】
[0078]いくつかのインプリメンテーションでは、第１のＳＴＡはまた、第２のＡＰから（専用発見チャネル上で）第２の発見情報を受信し得る。第２の発見情報は、ワイヤレスアクセスを提供するために第２のＡＰによって利用されている第２の動作チャネルの第２の識別子を含み得る。第１のＳＴＡは、第１の発見情報および第２の発見情報に、少なくとも部分的に基づいて第１のＡＰを選択し得る。例えば、第１の発見情報および第２の発見情報がそれぞれ、第１の動作チャネルおよび第２の動作チャネル上でＢＳＳのためのＳＳＩＤを含む場合、第１のＳＴＡは、ＳＴＡが探しているＳＳＩＤを有する第１のＡＰを選択することができる。別の例では、第１のＳＴＡは、第１のＡＰおよび第２のＡＰのためのサービス能力を決定し得る。サービス能力はそれぞれ、第１の発見情報および第２の発見情報中で通知され得る。第１のＳＴＡは、サービス能力に、少なくとも部分的に基づいて第１のＡＰを選択し得る。
【００６１】
[0079]図６は、発見情報がメッセージの技術指定ペイロード中に含まれることができるメッセージタイミング図を描写する提案される６ＧＨｚ無免許周波数帯域の別の関心のある特徴は、動作チャネルが異なる技術タイプを有するデバイスによって使用され得ることである。例えば、ＩＥＥＥ８０２．１１デバイスに追加して、スペクトル内の様々な動作チャネルは、他の技術によって使用されることができる。提案されている別の技術の一例は、第３世代パートナーシッププロジェクト（３ＧＰＰ（登録商標））基準設定団体によって発展されている無免許スペクトルのためのＬＴＥである。他の技術はまた、６ＧＨｚ無免許周波数帯域を利用するために発展され得る。本開示に従って、複数の技術タイプは、利用される動作タイプを通知するために専用発見チャネル上で発見情報を送信し得る。しかしながら、発見メッセージの少なくとも一部が異なる技術タイプをインプリメントしているＳＴＡによって復号されることができるような、発見メッセージの構造を調整するための機会があり得る。
【００６２】
[0080]メッセージタイミング図６００では、アクセスポイント６００は、専用発見チャネル上で発見メッセージ６７０を送信し得る（６５５で示される）。発見メッセージ６７０は、技術指定ペイロード６７４の前にヘッダ６７２を含み得る。ヘッダ６７２は、複数の技術タイプのために一様に定義され得る。例えば、ＩＥＥＥ８０２．１１仕様書およびＬＴＥ仕様書は、ヘッダ６７２のコンテンツおよび構造の一致した定義を使用し得る。ヘッダ６７２は、アクセスポイント６１０が技術指定ペイロード６７４のために使用している技術のインジケーションを含み得る。
【００６３】
[0081]図６は、発見メッセージ６７０を受信し得る２つのＳＴＡを示す。第１のＳＴＡ６０１は、デバイスの第１のクラスに属し、デバイスの第１のクラスによって使用される第１の技術タイプをインプリメントし得る。例えば、第１のＳＴＡ６０１は、ＩＥＥＥ８０２．１１技術をインプリメントし得る。第２のＳＴＡ６０２は、デバイスの第２のクラスに属し、デバイスの第２のクラスによって使用される第２の技術タイプをインプリメントし得る。例えば、第２のＳＴＡ６０２は、ＬＴＥ技術をインプリメントし得る。
【００６４】
[0082]図６では、第１のＳＴＡ６０１および第２のＳＴＡ６０２の両方は、発見メッセージ６７０の受信を開始し得る。例えば、第１のＳＴＡ６０１は、発見メッセージ６７０を受信し（６１１で示される）、ヘッダ６７２を復号し得る。第１のＳＴＡ６０１は、発見メッセージ６７０がデバイスの第１のクラスに関する技術指定ペイロード６７４を含むことを、ヘッダ６７２から決定し得る。第１のＳＴＡ６０１が技術指定ペイロード６７４の技術タイプをインプリメントするとの決定に応じて、第１のＳＴＡ６０１は、発見メッセージ６７０を受信し、技術指定ペイロード６７４を復号し続け得る。例えば、６１５で示されるように、第１のＳＴＡ６０１は、発見メッセージ６７０の残りの持続時間の間受信モードを維持し得る。
【００６５】
[0083]第１のＳＴＡ６０１と対照的に、第２のＳＴＡ６０２は、技術指定ペイロード６７４のための技術タイプをインプリメントし得ない。第２のＳＴＡ６０２は、発見メッセージ６７０の受信を開始し得る（６１２で示される）。第２のＳＴＡ６０２は、ヘッダ６７２を復号し、発見メッセージ６７０がデバイスの第２のクラスに関しない技術指定ペイロード６７４を含むことを、ヘッダ６７２から決定し得る。第２のＳＴＡ６０２が技術指定ペイロード６７４の技術タイプをインプリメントしないとの決定に応じて、第２のＳＴＡ６０２は、技術指定ペイロード６７４を無視し得る。いくつかのインプリメンテーションでは、第２のＳＴＡ６０２は、発見メッセージ６７０の残りの持続時間の間省電力モードに入り得る（６１６で示される）。
【００６６】
[0084]図７は、複数のＡＰが専用発見チャネルを介してそれらの動作チャネルを示す一例のメッセージのメッセージフロー図を描写する。メッセージフロー図７００は、ＳＴＡ７０１に発見情報を送る、第１のＡＰ１１０、第２のＡＰ１２０、および第３のＡＰ１３０を示す。例えば、第１のＡＰ１１０は、ＳＴＡ７０１に第１の発見メッセージ７１２を送る。第２のＡＰ１２０は、ＳＴＡ７０１に第２の発見メッセージ７２２を送る。第３のＡＰ１３０は、ＳＴＡ７０１に第３の発見メッセージ７３２を送る。発見メッセージ７１２、７２２、および７３２の各々は、専用発見チャネル上で送信される。ＳＴＡ７０１は、ＳＴＡ７０１の範囲内にある任意のＡＰから発見メッセージを受信するために時間期間の間専用発見チャネルをモニタし得る。
【００６７】
[0085]いくつかのインプリメンテーションでは、発見メッセージ７１２、７２２、および７３２は、（ショートビーコンメッセージまたはショートシステム情報メッセージのような）ショートメッセージであり得る。発見メッセージ７１２、７２２、および７３２は、ＳＴＡが専用発見チャネルをモニタし、そのロケーションにおけるＡＰを素早く発見できるように、（発見メッセージ７１２、７２２、および７３３を繰り返す間が短い周期間隔であるような）しばしば送信され得る。短い発見メッセージ７１２、７２２、および７３２は、ＳＴＡ７０１が特定の動作チャネルに行くかどうか判定することができる（動作チャネルおよびＳＳＩＤ、または同等なもののような）十分な情報を提供し得る。いくつかのインプリメンテーションでは、発見メッセージ７１２、７２２、および７３２は、（ＡＰによってサポートされる、プロトコルのリスト、オペレーション、機能性のような）ＡＰで利用可能な能力に関する能力情報を含み得る。いくつかのインプリメンテーションでは、発見メッセージ７１２、７２２、７３２は、（ＳＴＡによってサポートされるプロトコルのリスト、オペレーション、機能性のような）ＳＴＡ７０１がＡＰを利用することができる前にＳＴＡが有することをＡＰが望む能力に関するＡＰ要求情報を含み得る。いくつかのインプリメンテーションでは、発見メッセージ７１２、７２２、および７３２は、（ＡＰのＢＳＳのための動作チャネルのロケーション、動的に変更しているパラメータ、または同様なもののような）ＢＳＳ動作パラメータを含み得る。
【００６８】
[0086]７４２で、ＳＴＡ７０１は、どのＡＰが発見メッセージ７１２、７２２、および７３２中の発見情報に基づいて利用するかを選択し得る。理想的に、発見メッセージ７１２、７２２、および７３２は、ＡＰを選択るためにＳＴＡ７０１によって典型的に使用される情報を含み得る。しかしながら、ＳＴＡ７０１が（発見メッセージ７１２、７２２、および７３２中に含まれるもの以外の）追加の情報を必要とする場合、ＳＴＡ７０１は、ＡＰから追加の情報を取得するために発見メッセージ７１２、７２２、および７３２中で通知された動作チャネルのうちの１つまたは複数に同調し得る（示されていない）。図７の例では、ＳＴＡ７０１は、第３のＡＰ１３０を選択する。
【００６９】
[0087]７４２で、第３のＡＰ１３０を選択した後、ＳＴＡ７０１は、第３のＡＰのためのＢＳＳが動作している場合に動作チャネルに同調し得る。動作チャネルでは、ＳＴＡ７０１は、第３のＡＰにフレームを送ることができる。７９５で、ＳＴＡ７０１は、選択された第３のＡＰ１３０とのワイヤレス関連性を確立する。いくつかのインプリメンテーションでは、第３のＡＰ１３０は、動作チャネルの使用をスケジュールする。動作チャネルが第３のＡＰ１３０によってスケジュールされる場合、ＳＴＡ７０１は、ＳＴＡ７０１が動作チャネルにアクセスするのを求めて競合することができるランダムリソースユニット（Ｒｕｓ）を割り振るトリガフレーム７９２のために待機し得る。代替として、第３のＡＰ１３０がその他の帯域中でも動作していることが示されている場合、ＳＴＡ７０１は、（６ＧＨｚ無免許周波数帯域と異なる周波数帯域のような）別の無免許周波数帯域においてフレームを送るように競合することができる。例えば、第３の発見メッセージ７３２は、第３のＡＰ１３０が動作しているチャネルのリストを示し得る。
【００７０】
[0088]図８は、局がＡＰと動作パラメータを交渉することができる一例のメッセージのメッセージフロー図を描写する。メッセージフロー図８００は、図７に類似する、ＳＴＡ７０１に発見情報を送る、第１のＡＰ１１０、第２のＡＰ１２０、および第３のＡＰ１３０を示す。図８に類似して、７４２で、ＳＴＡ７０１は、第３のＡＰ１３０を選択する。しかしながら、図８は、第３のＡＰ１３０が動作パラメータの交渉を許可し得るという点において、図７と異なる。
【００７１】
[0089]例えば、いくつかのケースでは、ＳＴＡ７０１または第３のＡＰ１３０のいずれかは、他の要求を満たし得ない。このケースでは、ＳＴＡ７０１は、第３のＡＰ１３０と１つまたは複数の動作パラメータを交渉し得る。たとえＳＴＡ７０１が発見メッセージ７３２中で通知されたＡＰ１３０の要求を満たし得ないとしてもＡＰ１３０が関連付けるためにＳＴＡ７０１を許可し得る場合、ＳＴＡ７０１は、問い合わせるために（第３のＡＰ１３０のための動作チャネル上で）要求８５８を送ることができる。いくつかのインプリメンテーションでは、ＳＴＡ７０１は、要求８５８を送る前にトリガフレーム８５６のために待機し得る。
【００７２】
[0090]第３のＡＰ１３０は、８６２で要求を処理し得る。図８の例では、第３のＡＰ１３０は、要求に同意するように決定する。第３のＡＰ１３０は、要求が許可されたことを示すために応答８６４を送信し得る。メッセージフロー図８００は、図７で説明されたように７９２および７９５で動作を続ける。
【００７３】
[0091]いくつかのインプリメンテーションでは、第３のＡＰ１３０は、第３のＡＰ１３０が交渉を許可することになると先んじて通知し得る。例えば、第３のＡＰにおけるインジケータは、第３のＡＰ１３０が動作チャネル上での交渉を許可することになるとことを示し得る。
【００７４】
[0092]図９は、協調ＡＰがアグリゲートされた発見情報を提供する一例のメッセージのメッセージフロー図を描写する。メッセージフロー図９００は、図７に類似する、第１のＡＰ１１０、第２のＡＰ１２０、第３のＡＰ１３０、ＳＴＡ７０１を示す。しかしながら、図９は、専用発見チャネル上でアグリゲートされた発見情報を送るように使用される協調ＡＰ９５０を示すメッセージフロー図９００において図７と異なる。いくつかのインプリメンテーションでは、協調ＡＰ９５０は、それ自身のＢＳＳのための動作チャネルを利用しているＡＰであり得る。いくつかのインプリメンテーションでは、協調ＡＰ９５０は、中央コントローラ、中央アクセスポイント（ＣＡＰ）ルータ、または複数のＡＰから発見情報を収集しアグリゲートする能力のあるいくつかの他のデバイスであり得る。例えば、協調ＡＰ９５０は、それ自身の動作チャネルを有し得る、または有し得ないが、専用発見チャネル上で発見情報を管理およびブロードキャストするために構成され得る。
【００７５】
[0093]メッセージフロー図９００は、複数のＡＰのための発見情報をアグリゲートすることができる協調ＳＴＡ９５０に発見情報を送る、第１のＡＰ１１０、第２のＡＰ１２０、および第３のＡＰ１３０を示す。例えば、第１のＡＰ１１０は、協調ＳＴＡ９５０に第１の発見メッセージ９１２を送る。第２のＡＰ１２０は、協調ＳＴＡ９５０に第２の発見メッセージ９２２を送る。第３のＡＰ１３０は、協調ＳＴＡ９５０に第３の発見メッセージ９３２を送る。いくつかのインプリメンテーションでは、発見メッセージ９１２、９２２、および９３２の各々は、専用発見チャネル上で送信される。いくつかのインプリメンテーションでは、発見メッセージ９１２、９２２、および９３２は、専用発見チャネルと異なる１つまたは複数のチャネルを使用して協調ＡＰ９５０に送信され得る。
【００７６】
[0094]９４２で、協調ＡＰ９５０は、発見メッセージ９１２、９２２、および９３２からの発見情報をアグリゲートし得る。９５２で、協調ＡＰ９５０は、専用発見チャネル上でアグリゲートされた発見情報を送信し得る。ＳＴＡ７０１は、（第１のＡＰ１１０、第２のＡＰ１２０、および第３のＡＰ１３０を含む）複数のＡＰのためのアグリゲートされた発見情報を取得するために専用発見チャネルをモニタすることができる。メッセージフロー図８００は、図７で説明されたように７４２および７９５で動作を続ける。
【００７７】
[0095]図１０は、無免許周波数帯域のための専用発見チャネルを介してアグリゲートされた発見情報を提供することができる協調ＡＰのためのフローチャートを描写する。フローチャート１０００は、ブロック１０１０で開始する。
【００７８】
[0096]ブロック１０１０で、協調ＡＰは、無免許周波数帯域内の様々な動作チャネルの中からの第１の動作チャネルの第１の識別子を含む第１の発見情報を、第１のＡＰから受信し得る。第１の動作チャネルは、第１のＡＰにワイヤレスアクセスを提供するために第１のＡＰによって利用される。
【００７９】
[0097]ブロック１０２０で、協調ＡＰは、無免許周波数帯域内の様々な動作チャネルの中からの第２の動作チャネルの第２の識別子を含む第２の発見情報を、第２のＡＰから受信し得る。第２の動作チャネルは、第２のＡＰにワイヤレスアクセスを提供するために第２のＡＰによって利用される。
【００８０】
[0098]ブロック１０３０で、協調ＡＰは、第１の発見情報および第２の発見情報に、少なくとも部分的に基づいてアグリゲートされた発見情報を決定し得る。
【００８１】
[0099]ブロック１０４０で、協調ＡＰは、無免許周波数帯域のための専用発見チャネルを介してアグリゲートされた発見情報を送信し得る。
【００８２】
[00100]図１１は、ＡＰが分離タイムスロットにおける発見情報を送信するメッセージタイミング図を描写する。上で述べたように、ＡＰは、専用発見チャネルにアクセスするために衝突回避メカニズム（または競合ベースのアクセスメカニズム）を使用し得る。しかしながら、図１１では、各ＡＰは、割り当てられたタイムスロットを有する。従って、図１１は、ＡＰが発見情報を送信することができるときをスケジューリングするのためのタイムスロットベースのメカニズムを示す。
【００８３】
[00101]メッセージタイミング図１１００は、それぞれ、第１のＡＰ１１０、第２のＡＰ１２０、第３のＡＰ１３０、および第４のＡＰ１４０によって送信される発見メッセージ１１１２、１１２２、１１３２、および１１４２を示す。第１の発見メッセージ１１１２は、第１のタイムスロットＴＳ１ １１７１の間に第１のＡＰによって送信される。第２の発見メッセージ１１２２は、第２のタイムスロットＴＳ２ １１７２の間に第２のＡＰによって送信される。第３の発見メッセージ１１３２は、第３のタイムスロットＴＳ３ １１７３の間に第３のＡＰによって送信される。第４の発見メッセージ１１４２は、第４のタイムスロットＴＳ４ １１７４の間に第４のＡＰによって送信される。
【００８４】
[00102]図１１の例では、専用発見チャネルは、４つの繰り返しのタイムスロットに分かれる。したがって、ＴＳ１、ＴＳ２、ＴＳ３、およびＴＳ４の後、次のタイムスロットは、ＴＳ１ １１７５になることになる。第１のＡＰ１１０は、４タイムスロット毎である周期的通知間隔１１１８に従って、発見情報を送信するように構成される。したがって、第１のＡＰ１１０は、タイムスロットＴＳ１ １１７５で第５の発見メッセージ１１１４を送る。同様に、第２のＡＰ１２０、第３のＡＰ１３０、および第４のＡＰ１４０は、パターンにしたがって後続のタイムスロットにおいて送信を繰り返し得る（図示されない）。
【００８５】
[00103]図１１における例は、４つのタイムスロットのうちの１つを割り当てられた４つのＡＰを示す。従って、単純な例は、同じ数のＡＰおよびタイムスロットを示す。各ＡＰは、周期的通知間隔１１１８に従って繰り返す別個のタイムスロットを有する。しかしながら、ＡＰの数およびタイムスロットの数が同じにならないことが可能であり得る。タイムスロットの数より少ないＡＰがある場合、その発見情報を送信するための別個のタイムスロットを各ＡＰに割り当てることが引き続き可能である。使用されないタイムスロットは、新規のＡＰが環境に追加される、または（動作チャネルの利用に関してＡＰ間での協調のような）いくつかの他の送信のために割り当てられるときに使用される。
【００８６】
[00104]しかしながら、ＡＰの数が専用発見チャネルのためい定義されたタイムスロットの数より大きい場合のシナリオがあり得る。例えば、高密度の展開は、２００個のＡＰを含み得る。しかしながら、専用発見チャネルは、各タイムスロットのために１ｍｓのタイムスロットを定義し得る。１つのＡＰが１００ｍｓ毎に発見情報を送信するように構成される（例えば、周期的通知間隔がＡＰのために１００ｍｓである）場合、ＡＰは、専用発見チャネル上で発見情報を送信するために他のＡＰのために使用可能な時間に影響を与えること無しに１００ｍｓ毎に発見情報を送信することができ得ない。図１２および図１３は、専用発見チャネル上で時間ベースのメカニズムにおいてより多くのＡＰをサポートするために使用されるいくつかの解決策を提供する。
【００８７】
[00105]図１２は、ＡＰのグループがそれぞれのタイムスロットにおける発見情報の送信を順に交代するメッセージタイミング図を描写する。図１２では、ＡＰのグループは、（奇数／偶数スロット毎、またはタイムスロットのｎ番目の存在毎のような）特定のスロットの間に通知することを順番に行い得る。メッセージタイミング図１２００は、４つのＡＰ（第１のＡＰ１１０、第２のＡＰ１２０、第３のＡＰ１３０、および第４のＡＰ１４０）によって共有される（タイムスロットＴＳ１ １２７１およびタイムスロットＴＳ２ １２７２のような）２つの繰り返しのタイムスロットを示す。図１２では、第１のＡＰ１１０および第３のＡＰ１３０は、共有ＴＳ１に互いにグループ化される。第２のＡＰ１２０および第４のＡＰ１４０は、共有ＴＳ２に互いにグループ化される。各グループは、ＡＰがタイムスロットの間に送信することができるＴＳ１を順に交代することによって共有することになる。グループが３つのＡＰを有するときの例では、各ＡＰは、タイムスロットの３番目の存在毎に送信し得る。
【００８８】
[00106]タイムスロットＴＳ１ １２７１では、第１のＡＰ１１０は、第１の発見メッセージ１２１２を送信し得る。第３のＡＰ１３０がまた、タイムスロットＴＳ１ １２７１を使用するように割り当てられるが、第３のＡＰは、タイムスロットのこの存在の間発見メッセージを送ることを控えることになる（１２３２で示される）。タイムスロットＴＳ２ １２７２では、第２のＡＰ１２０は、第２の発見メッセージ１２２２を送信し得る。第４のＡＰ１４０がまた、タイムスロットＴＳ２ １２７２を使用するように割り当てられるが、第４のＡＰは、タイムスロットのこの存在の間発見メッセージを送ることを控えることになる（１２４２で示される）。
【００８９】
[00107]（タイムスロットＴＳ１ １２７３で示される）ＴＳ１の次の存在で第１のＡＰ１１０は、発見メッセージを送信することを控えることになる（１２１６で示される）。代わりに、第３のＡＰ１３０は、タイムスロットＴＳ１ １２７３の間第３の発見メッセージ１２３６を送ることになる。従って、第１のＡＰおよび第３のＡＰは、それらのＡＰがＴＳ１の存在の間に発見情報を送信することを順に交代する。
【００９０】
[00108]同様に、（タイムスロットＴＳ１ １２７４で示される）ＴＳ２の次の存在で第２のＡＰ１２０は、発見メッセージを送信することを控えることになる（１２２６で示される）。代わりに、第４のＡＰ１４０は、タイムスロットＴＳ２ １２７４の間第４の発見メッセージ１２４６を送ることになる。従って、第２のＡＰおよび第４のＡＰは、それらのＡＰがＴＳ１の発生の間に発見情報を送信することを順に交代する。パターンは、ＴＳ１およびＴＳ２の後続の存在について繰り返し得る（示されない）。
【００９１】
[00109]図１２の例では、周期的通知間隔１１１８は、４つのタイムスロットと等しい。したがって、たとえ専用発見チャネルが２つの繰り返すタイムスロットを含むように定義されていようとも、第１のＡＰ１１０は、周期的通知間隔１１１８の終わりで発見メッセージ１２１８をさらに送ることになる。しかしながら、繰り返しのタイムスロットに割り当てられたＡＰの数が通知された間隔に関連付けられた時間期間内で発見情報を送信することをＡＰにさせないときのインプリメンテーションがあり得る。このケースでは、１つのＡＰが図１３に示されるように、別のＡＰのための発見情報を含むことを可能にし得る。
【００９２】
[00110]図１３は、ＡＰのグループがアグリゲートされた発見情報を送信するメッセージタイミング図を描写する。メッセージタイミング図１３００は、４つのＡＰ（第１のＡＰ１１０、第２のＡＰ１２０、第３のＡＰ１３０、および第４のＡＰ１４０）によって共有される（タイムスロットＴＳ１ １２７１およびタイムスロットＴＳ２ １２７２のような）２つの繰り返しのタイムスロットを示す。図１３では、第１のＡＰ１１０および第３のＡＰ１３０は、共有ＴＳ１に互いにグループ化される。第２のＡＰ１２０および第４のＡＰ１４０は、共有ＴＳ２に互いにグループ化される。しかしながら、図１２と異なり、第１のＡＰ１１０および第３のＡＰ１３０は、ＡＰのそれぞれのグループのためのアグリゲートしている発見情報を送信する能力があり得る。例えば、第１のＡＰ１１０および第２のＡＰ１２０は、それぞれのグループのためのタイムスロットを共有する他のＡＰのための発見情報を通知することができる。
【００９３】
[00111]タイムスロットＴＳ１ １２７１で、第１のＡＰ１１０は、第１のＡＰ１１０および第３のＡＰ１３０のためのアグリゲートされた発見情報を含む第１の発見メッセージ１３１２を送信し得る。第３のＡＰは、送信することを控え得る（１３３２で示される）。同様に、タイムスロットＴＳ２ １２７２で、第２のＡＰ１２０は、第２のＡＰ１２０および第４のＡＰ１４０のためのアグリゲートされた発見情報を含む第２の発見メッセージ１３２２を送信し得る。第４のＡＰは、送信することを控え得る（１３４２で示される）。パターンは、ＴＳ１およびＴＳ２の後続の存在について繰り返し得る。例えば、タイムスロットＴＳ１ １２７３で、第１のＡＰ１１０は、第１のＡＰ１１０および第３のＡＰ１３０のためのアグリゲートされた発見情報で第３の発見メッセージ１３１６を送信し得る。同様に、タイムスロットＴＳ２ １２７４で、第２のＡＰ１２０は、第２のＡＰ１２０および第４のＡＰ１４０のためのアグリゲートされた発見情報で第４の発見メッセージ１３２６を送信し得る。ＡＰのグループの間の発見情報をアグリゲートすることによって、専用発見チャネルのために定義されたタイムスロットの数を低減することが可能になり得る。結果として、ＳＴＡは、２つのタイムスロットのための時間間隔と等しい通知間隔１３１８のような）より短い通知間隔で発見情報を受信し得る。
【００９４】
[00112]割り当てられたタイムスロットにＡＰをグループ化するために様々な方法があり得る。例えば、中央コーディネータは、各ＡＰによる使用のためのタイムスロットを割り当て得る。中央コーディネータはまた、タイムスロットのためのＡＰのグループを示し得る。
【００９５】
[00113]図１４Ａは、発見情報を送信するための一例の発見メッセージの概念図を描写する。例えば、一例の発見メッセージ１４０１は、専用発見チャネルを介して第１のＡＰ（または協調ＡＰ）から送られ得る。一例の発見メッセージ１４０１は、ヘッダ１４２４およびペイロード１４１０を含み得る。いくつかのインプリメンテーションでは、ヘッダ１４２４は、（送信ＡＰのネットワークアドレスのような）ソースアドレス、データフレームの長さ、または他の制御情報を含み得る。いくつかのインプリメンテーションでは、ヘッダ１４２４はまた、（ペイロード１４１０が特定の技術タイプまたは複数の技術タイプに指定される場合）技術指定ペイロードに関連付けられた技術タイプを示し得る。ペイロード１４１０は、発見情報を搬送するために使用され得る。発見情報は、様々な方法で編成され得るまたはフォーマットされ得る。発見情報はまた、異なる技術タイプに関連付けられた技術指定フォーマットを使用して搬送され得る。例えば、いくつかのインプリメンテーションでは、ＡＰは、ある技術の特色を示す発見メッセージを生成することができる。発見メッセージの１つの例は、（ＩＥＥＥ８０２．１１ａｘのために定義されたビーコンフレームに類似する）ＩＥＥＥ８０２．１１によって使用され得る改良型ビーコンフレームを含み得る。発見メッセージの別の例は、他の技術（またあｈ８０２．１１ａｘを超えるＩＥＥＥ８０２．１１の次世代）のために定義され得る他の同期フレームまたは他のショートフレームであり得る。発見メッセージの他のタイプは、ＡＰが異なる技術（ＩＥＥＥ８０２．１１と異なる）をサポートする場合に使用されることができる。発見メッセージを送るために使用されることができる別の技術の例は、図１４Ｄにおいて以下に示されるように、ＬＴＥであるだろう。いくつかのインプリメンテーションでは、発見メッセージの異なるタイプの組み合わせは、専用発見チャネル上で使用され得る。いくつかのインプリメンテーションでは、同じ発見メッセージは、１つの技術タイプより多くのもののためのシグナリングを含み得る。
【００９６】
[00114]図１４Ｂは、一例の発見メッセージのための一例のメッセージフォーマットを描写する。例えば、一例の発見メッセージ１４０２は、ＩＥＥＥ８０２．１１デバイスのために使用され、本開示に従って発見情報を含むように修正された前に定義されたビーコンメッセージに基づき得る。一例の発見メッセージ１４０２は、ヘッダ１４２４、ペイロード１４１１、およびオプションのフレーム検査シーケンス（ＦＳＣ）１４２６を含み得る。ペイロード１４１１は、メッセージフォーマットで体系化され得、発見情報メッセージ１４３２、１４３６、および１４３８を含み得る。発見情報要素は、例えば、動作チャネル識別子およびネットワーク識別子を含み得る。例えば、ネットワーク識別子は、動作チャネル識別子によって識別される動作チャネルを使用してＢＳＳに関連付けられたＳＳＩＤであり得る。
【００９７】
[00115]図１４Ｃは、一例の発見メッセージおよび一例の発見情報要素のための一例のメッセージフォーマットを描写する。一例の発見メッセージ１４０３は、ヘッダ１４２４、ペイロード１４１１、およびオプションのフレーム検査シーケンス（ＦＳＣ）１４２６を含み得る。いくつかのインプリメンテーションでは、一例の発見メッセージ１４０３は、プリアンブル１４２２を含み得る。プリアンブル１４２２は、例えば、専用発見チャネルがリッスンビフォアトーク、競合ベースのアクセス、またはキャリアセンスアクセスを使用するときに使用され得る。例えば、プリアンブル１４２２は、同期を確立するために１つまたは複数のビットを含み得る。いくつかのインプリメンテーションでは、専用発見チャネルが送信のためのスケジュールされたタイムスロットを使用する場合、プリアンブル１４２２は、除外され得る。図１４Ｂと同様に、ペイロード１４１１は、メッセージフォーマットで体系化され得、発見情報メッセージ１４３２、１４３６、および１４３８を含み得る。発見情報要素は、説明されたＡＰに関しての発見情報を共有するために使用され得る。情報要求１４６０のいくつかの例は、図１４Ｃに例示される。情報要素１４６０は、動作チャネルリスト１４６２を含み得る。例えば、動作チャネルリスト１４６２は、ＡＰによって使用されている１つまたは複数の動作チャネルの識別子を有し得る。情報要素１４６０はまた、ネットワークアイデンティフィケーション情報１４６４を含み得る。例えば、ネットワークアイデンティフィケーション情報１４６４は、動作チャネル上のＢＳＳのＳＳＩＤを含み得る。オプションとして、ネットワークアイデンティフィケーション情報１４６４は、チャネル利用、ＢＳＳに関連付けらられたワイヤレス局の数、リンクデータレート、およびスケジューリング様式のような、ＢＳＳに関しての条件を示し得る。発見フレーム１４２０中に含まれ得る発見情報要素１４６０の他の例は、プロトコルサポート情報１４６６、ＡＰ能力情報１４６８、ＳＴＡ要求情報１４７２、および交渉割り振りインジケータ１４７４を含み得る。
【００９８】
[00116]図１４Ｄは、ＬＴＥシグナリングフレームを持つ一例の発見メッセージの概念図を描写する。一例の発見メッセージ１４０４は、ヘッダ１４２４およびペイロード１４１２を含み得る。いくつかのインプリメンテーションでは、ヘッダは、例えば、専用発見チャネルがＬＴＥシグナリングのみを利用するとき、またはＬＴＥシグナリングが専用発見チャネル中の専用時間期間を占有する場合、除外され得る。ペイロード１４１２は、（ＬＴＥシグナリングフレーム１４５１、１４５２、１４５３、１４５４、１４５５、１４５６のような）１つまたは複数のＬＴＥシグナリングフレーム１４５０を含み得る。発見情報は、ＬＴＥシグナリングフレーム１４５０中に含まれ得る。いくつかのインプリメンテーションでは、ペイロード１４１２は、発見情報要素およびＬＴＥシグナリングフレームの両方の組み合わせ（示されない）を含み得る。例えば、ＡＰがＩＥＥＥ８０２．１１およびＬＴＥの両方をサポートする場合、ペイロード１４１２は、両方のフレームにおいて符号化される発見情報を含み得る。
【００９９】
[00117]図１５は、本開示の態様をインプリメントするための例示的な電子デバイスのブロック図を示す。いくつかのインプリメンテーションでは、電子デバイス１５００は、（本明細書に説明されるＡＰのうちの任意のものを含む）アクセスポイント、（本明細書に説明されるＳＴＡを含む）局、または他の電子システムのうちの１つであり得る。電子デバイス１５００は、（場合により、複数のプロセッサ、複数のコア、複数のノードを含む、またはマルチスレッドを実行する、等の）プロセッサユニット１５０２を含むことができる。電子デバイス１５００はまた、メモリユニット１５０６を含むことができる。メモリ１５０６は、システムメモリ、あるいは、機械可読媒体またはコンピュータ可読媒体の実現（ｒｅａｌｉｚａｔｉｏｎｓ）のうちの任意の１つまたは複数であり得る。電子デバイス１５００はまた、（ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓ、ＡＨＢ、ＡＸＩ等のような）バス１５１０、ならびに（ＷＬＡＮインターフェース、Ｂｌｕｅｔｏｏｔｈ（登録商標）インターフェース、ＷｉＭＡＸ（登録商標）インターフェース、ＺｉｇＢｅｅ（登録商標）インターフェース、ワイヤレスＵＳＢインターフェース等のようなワイヤレスネットワークインターフェー）ワイヤレスネットワークインターフェースおよび、（イーサネット（登録商標）インターフェース、電力線通信インターフェース等のような）有線ネットワークインターフェースのうちの少なくとも１つを含むことができるネットワークインターフェース１５０４を含むことができる。いくつかのインプリメンテーションでは、電子デバイス１５００は、複数のネットワークインターフェースをサポートし得るが、その各々は、電子デバイス１５００を異なる通信ネットワークに結合するように構成される。
【０１００】
[00118]電子デバイス１５００は、発見チャネルサポートユニット１５６２を含み得る。いくつかのインプリメンテーションでは、発見チャネルサポートユニット１５６２は、プロセッサユニット１５０２、メモリユニット１５０６、およびバス１５１０内に分散されることができる。発見チャネルサポートユニット１５６２は、上の図１乃至図１４Ｄにおいて説明された動作のいくつかまたはすべてを実行することができる。例えば、電子デバイス１５００がＡＰである場合、発見チャネルサポートユニット１５６２は、専用発見チャネルを介して発見情報を送信し得る。電子デバイス１５００がＳＴＡである場合、発見チャネルサポートユニット１５６２は、専用発見チャネルをモニタし、１つまたは複数のＡＰから発見情報を受信するように構成され得る。
【０１０１】
[00119]メモリユニット１５０６は、上の図１乃至図１４Ｄにおいて説明されたインプリメンテーションの機能性をインプリメントするためにプロセッサユニット１５０２によって実行可能なコンピュータ命令を含むことができる。これらの機能性のうちの任意の１つは、プロセッサユニット１５０２においてまたはハードウェアにおいて部分的に（または全体的に）インプリメントされ得る。例えば、機能は、特定用途向け集積回路を用いて、プロセッサユニット１５０２中で実施される論理において、周辺デバイスのコプロセッサ（co-processor）において、またはカードなどで、実施され得る。さらに、それらの実現は、図１５において例示されていない、より少ないまたは追加のコンポーネント（例えば、映像カード、音声カード、追加のネットワークインターフェース、周辺デバイスなど）を含み得る。プロセッサユニット１５０２、メモリユニット１５０６、ネットワークインターフェース１５０４、およびネットワークコンフィギュレータユニット１５０８は、バス１５１０に結合される。バス１５１０に結合されているものとして例示されているが、メモリユニット１５０６は、プロセッサユニット１５０２に結合され得る。
【０１０２】
[00120]図１乃至図１５および本明細書に説明されるオペレーションは、一例のインプリメンテーションを理解することを助けるように企図された例であり、潜在的なインプリメンテーションを制限する、または特許請求の範囲を制限するように使用されるべきではない。いくつかのインプリメンテーションは、追加のオペレーション、より少ないオペレーション、並列におけるオペレーションまたは異なる順序におけるオペレーション、およびいくつかの異なるオペレーションを実行し得る。
【０１０３】
[00121]本開示の対応がそれら関連付けられたオペレーションの様々な例の観点から説明されたが、当業者は、異なる例の任意の数からのオペレーションの組み合わせがまた、本開示の態様の範囲内にあることを理解することができるだろう。
【０１０４】
[00122]本開示において説明される主題の別の革新的な態様は、第１の局（ＳＴＡ）においてインプリメントされることができる。第１のＳＴＡは、無免許周波数帯域のための専用発見チャネルを介して第１の発見情報を、第１のＡＰから、受信し得る。第１の発見情報は、無免許周波数帯域内の様々な動作チャネルの中からの第１の動作チャネルの第１の識別子を含み得る。第１の動作チャネルは、ネットワークにワイヤレスアクセスを提供するために第１のＡＰによって利用され得る。第１のＳＴＡは、第１の動作チャネル上に第１のＡＰと関連付け得る。
【０１０５】
[00123]いくつかのインプリメンテーションでは、発見情報を受信することは、無免許周波数帯域のための専用発見チャネルとして表わされた単一チャネルをモニタすることを含み得る。
【０１０６】
[00124]いくつかのインプリメンテーションでは、第１のＳＴＡは、第１の周期間隔に関連付けらた少なくとも時間期間の間専用発見チャネルをモニタし得る。
【０１０７】
[00125]いくつかのインプリメントでは、第１の周期間隔は、第１のＳＴＡによって導入された第１の技術基準によって指定され得る。
【０１０８】
[00126]いくつかのインプリメントでは、発見情報は、基本サービスセット（ＢＳＳ）情報から成るグループから選択された少なくとも１つのメンバ、サービスセットアイデンティフィケーション（ＳＳＩＤ）、第１の動作チャネルのための動作パラメータ、第１のＡＰのワイヤレスサービス能力、サポートされるプロトコルのリスト、および第１のＡＰによって利用されている他のチャネルのリストをさらに含み得る。
【０１０９】
[00127]いくつかのインプリメンテーションでは、第１のＳＴＡは、専用発見チャネルを介して第２の発見情報を、第２のＡＰから、受信し得る。第２の発見情報は、ネットワークにワイヤレスアクセスを提供するために第２のＡＰによって利用されている第２の動作チャネルの第２の識別子を含み得る。第１のＳＴＡは、第１の発見情報および第２の発見情報に、少なくとも部分的に基づいて第１のＡＰを選択し得る。
【０１１０】
[00128]いくつかのインプリメンテーションでは、第１の発見情報は、第２のＡＰによって利用される第２の動作チャネルの識別子をさらに含み得る。第１のＳＴＡは、第１のＡＰおよび第２のＡＰのためのサービス能力を決定し得る。第１のＳＴＡは、第１の発見情報およびサービス能力に、少なくとも部分的に基づいて第１のＡＰを選択し得る。
【０１１１】
[00129]いくつかのインプリメンテーションでは、サービス能力を決定することは、第１の動作チャネルおよび第２の動作チャネルのための信号強度を決定することと、第１のＡＰおよび第２のＡＰの動作パラメータに、少なくとも部分的に基づいてサービス能力を決定することとから成るグループから選択される少なくとも１つのメンバを含み得る。動作パラメータは、第１の発見情報中に含まれ得る。
【０１１２】
[00130]いくつかのインプリメントでは、第１の発見情報は、ＡＰが第１のＡＰと第１のＳＴＡとの間で共有された１つまたは複数の動作パラメータの交渉を許可することになるかどうかを示すインジケータをさらに含み得る。第１のＳＴＡは、第１の動作チャネルを介して、第１のＡＰと第１のＳＴＡとの間で共有される１つまたは複数の動作パラメータを交渉し得る。
【０１１３】
[00131]いくつかのインプリメントでは、第１の発見情報は、専用発見チャネル上で受信したメッセージの技術指定ペイロード中に含まれ得る第１のＳＴＡは、メッセージのヘッダを復号し得、ヘッダは、技術指定ペイロードの技術タイプを示す。第１のＳＴＡは、第１のＳＴＡが技術タイプを利用することができるかどうか決定し得る。第１のＳＴＡは、第１の局が技術タイプを利用できる場合、技術指定ペイロードを復号し得る。第１のＳＴＡは、第１の局が技術タイプを利用できない場合、技術指定ペイロードを無視し得る。
【０１１４】
[00132]いくつかのインプリメンテーションでは、技術指定ペイロードを無視することは、少なくともメッセージの残りの期間の間省電力モードに入ることを含み得る。
【０１１５】
[00133]いくつかのインプリメンテーションでは、専用発見チャネルを介して第１の発見情報を受信することは、無免許周波数帯域に関連付けられた１つまたは複数の動作チャネルのアクティブスキャンまたはパッシブスキャンを取り除き得る。
【０１１６】
[00134]本開示で説明される主題の別の革新的な態様は、協調ＡＰにおいてインプリメントされることができる。協調ＡＰは、無免許周波数帯域内の様々な動作チャネルの中からの第１の動作チャネルの第１の識別子を含む発見情報を、第１のＡＰから受信し得る。第１の動作チャネルは、第１のＡＰにワイヤレスアクセスを提供するために第１のＡＰによって利用される。協調ＡＰは、無免許周波数帯域内の様々な動作チャネルの中からの第２の動作チャネルの第２の識別子を含む発見情報を、第２のＡＰから受信し得る。第２の動作チャネルは、第２のＡＰにワイヤレスアクセスを提供するために第２のＡＰによって利用される。協調ＡＰは、第１１発見情報および第２の発見情報に基づいてアグリゲートされた発見情報を決定し得る。協調ＡＰは、無免許周波数帯域のための専用発見チャネルを介してアグリゲートされた発見情報を送信し得る。
【０１１７】
[00135]いくつかのインプリメンテーションでは、協調ＡＰは、無免許周波数帯域を利用する１つまたは複数のＡＰにチャネルを割り当てるための中央コーディネータであり得る。
【０１１８】
[00136]いくつかのインプリメンテーションでは、第１の発見情報および第２の発見情報は、それぞれ第１のＡＰおよび第２のＡＰの各々に関連付けられた動作パラメータをさらに含み得る。アグリゲートされた発見情報を決定することは、アグリゲートされた発見情報における動作パラメータの少なくとも一部を含むことを備え得る。
【０１１９】
[00137]本明細書で使用される場合、項目のリスト「のうちの少なくとも１つ」を指すフレーズは、単一のメンバを含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図されている。
【０１２０】
[00138]本明細書で開示された実施形態に関連して説明される様々な例示的なロジック、論理ブロック、モジュール、回路、およびアルゴリズムプロセスは、電子ハードウェア、コンピュータソフトウェア、または両方の組み合わせとして実施され得る。ハードウェアとソフトウェアとの互換性は概して、機能の観点から説明されており、上述された様々な例示的なコンポーネント、ブロック、モジュール、回路、およびプロセスにおいて例示されている。このような機能性がハードウェアでインプリメントされるかソフトウェアでインプリメントされるかは、特定の用途とシステム全体に課せられる設計制約とに依存する。
【０１２１】
[00139]本明細書で開示されている態様に関連して説明されている様々な例示的なロジック、論理ブロック、モジュール、および回路を実装するために使用されるハードウェアならびにデータ処理装置は、汎用単一チップのプロセッサまたは汎用マルチチップのプロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、または本明細書で説明されている機能を実行するために設計された、それらの任意の組み合わせで実装または実行されうる。汎用プロセッサは、マイクロプロセッサ、または、任意の従来のプロセッサ、コントローラ、マイクロコントローラ、あるいはステートマシンであり得る。プロセッサはまた、コンピューティングデバイスの組み合わせ、例えば、ＤＳＰと、１つのマイクロプロセッサ、複数のマイクロプロセッサ、ＤＳＰコアに連結した１つまたは複数のマイクロプロセッサ、あるいは任意の他のそのような構成との組み合わせとしてインプリメントされ得る。いくつかの実施形態では、特定のプロセスおよび方法が、所与の機能に特有である回路によって行われ得る。
【０１２２】
[00140]１つまたは複数の様態では、説明されている機能は、本明細書で開示されている構造、およびこれらの構造的均等物を含む、ハードウェア、デジタル電子回路、コンピュータソフトウェア、ファームウェアまたはこれらのあらゆる組み合わせでインプリメントされ得る。本明細書で説明された主題のインプリメンテーションはまた、データ処理装置による実行のために、またはデータ処理装置の動作を制御するために、コンピュータ記憶媒体上で符号化される、１つまたは複数のコンピュータプログラム、すなわち、コンピュータプログラム命令の１つまたは複数のモジュール、としてインプリメントされ得る。
【０１２３】
[00141]ソフトウェアで実装される場合、機能は、コンピュータ可読媒体において、１つまたは複数の命令またはコードとして、記憶または送信されることができる。本明細書で開示される方法またはアルゴリズムのプロセスは、コンピュータ可読媒体上に存在し得るプロセッサ実行可能ソフトウェアモジュールにおいて実施され得る。コンピュータ可読媒体は、ある場所から別の場所にコンピュータプログラムを転送することを可能にされることができる任意の媒体を含む通信媒体およびコンピュータ記憶媒体の両方を含む。記憶媒体は、コンピュータによってアクセスされ得る任意の利用可能な媒体であり得る。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形態で望ましいプログラムコードを記憶するために使用され、かつ、コンピュータによってアクセスされうるあらゆる他の媒体を含むことができる。また、任意の接続は、コンピュータ可読媒体と厳密には名づけられることができる。ここで使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生し、ディスク（disc）は、レーザーを用いて光学的にデータを再生する。上記の組合せもまた、コンピュータ可読媒体の範囲内に含まれるべきである。加えて、方法またはアルゴリズムの動作は、機械可読媒体およびコンピュータ可読媒体上で、コードおよび命令のうちの１つ、またはそれらの任意の組み合わせ、またはそれらのセットとして存在し得、それは、コンピュータプログラム製品に組み込まれ得る。
【０１２４】
[00142]本開示で説明される実装への様々な変更は、当業者にとって容易に明らかであり、および、本明細書で定められる一般的な原理は、本開示の趣旨または範囲から逸脱することなく他のインプリメンテーションに適用され得る。よって、特許請求の範囲は、本明細書に示されたインプリメンテーションに限定されるように意図されておらず、本明細書に開示された新規の特徴、原理、および本開示と矛盾しない最も広い範囲が与えられるべきである。
【０１２５】
[00143]加えて、当業者は、「上方」および「下方」という用語が、図を説明しやすくするために使用されることがあり、適正に方向付けられた頁上で図の向きに対応する相対位置を示し、実施されたときの任意のデバイスの適正な向きを反映しないことがあり得ることを容易に認識するであろう。
【０１２６】
[00144]別個の実装のコンテクストで本明細書において説明されているある特定の特徴もまた、単一の実装で組み合わせて実装されることができる。反対に、単一のインプリメンテーションのコンテキストで説明されている様々な特徴は、また、別個に複数のインプリメンテーションにおいて、または任意の好適なサブコンビネーションでインプリメントされ得る。さらに、特徴は、ある特定の組み合わせで機能するとして上述され、特許請求の範囲にさえ最初はそのように記載され得るが、特許請求の範囲に記載されている組み合わせからの１つまたは複数の特徴は、いくつかのケースでは、その組み合わせから削除され、特許請求の範囲に記載されている組み合わせは、サブコンビネーションまたはサブコンビネーションの変形を対象とし得る。
【０１２７】
[00145]同様に、動作が特定の順序で図面に図示されるが、これは、そのような動作が、望ましい結果を達成するために、示された特定の順序または連続した順序で行われること、または全ての例示された動作が行われることを必要とするものと理解されるべきでない。さらに、図面は、１つのより例示的なプロセスをフロー図の形式で概略的に図示し得る。しかしながら、図示されていない他の動作は、概略的に例示されている実例的なプロセス中に組み込まれることができる。例えば、１つまたは複数の追加の動作は、例示されている動作のいずれかの前に、後で、同時に、または間に行われ得る。ある特定の状況では、マルチタスクおよび平行処理が有利であり得る。さらに、上述された実装における様々なシステムコンポーネントの分離は、すべての実装においてそのような分離を必要とするものと理解されるべきではなく、説明されたプログラムコンポーネントおよびシステムが、概して、単一のソフトウェア製品に一体化されるか、または複数のソフトウェア製品にパッケージ化される得ることが理解されるべきである。加えて、他の実施形態は、下記の特許請求の範囲内にある。いくつかのケースでは、特許請求の範囲に記載されるアクションは、異なる順序で行われ、それでもなお望ましい結果を達成することができる。
【図１】
2020524454.tif 000003
【図２】
2020524454.tif 000004
【図３Ａ】
2020524454.tif 000005
【図３Ｂ】
2020524454.tif 000006
【図４】
2020524454.tif 000007
【図５】
2020524454.tif 000008
【図６】
2020524454.tif 000009
【図７】
2020524454.tif 000010
【図８】
2020524454.tif 000011
【図９】
2020524454.tif 000012
【図１０】
2020524454.tif 000013
【図１１】
2020524454.tif 000014
【図１２】
2020524454.tif 000015
【図１３】
2020524454.tif 000016
【図１４Ａ】
2020524454.tif 000017
【図１４Ｂ】
2020524454.tif 000018
【図１４Ｃ】
2020524454.tif 000019
【図１４Ｄ】
2020524454.tif 000020
【図１５】
2020524454.tif 000021
【国際調査報告】
2020524454.tif 000022
2020524454.tif 000023
2020524454.tif 000024
2020524454.tif 000025
2020524454.tif 000026
2020524454.tif 000027
2020524454.tif 000028